(57)【要約】【課題】車両内に少なくともスピーカを備えたＡＶシステムにおいてステレオ音声やサラウンド音声等の音場効果を実現できるようにする。【解決手段】任意のＡＶソースを各々選択して再生可能に成された複数のリア・ディスプレイ２２，２３を車両の後部座席に備えたＡＶシステムにおいて、両リア・ディスプレイ２２，２３で同一のＡＶソースを再生しているか否かをコントローラ１５により検出し、同一ソースの再生が検出されたときに、Ｌリア・ディスプレイ２２からＬチャネルの音声信号を出力し、Ｒリア・ディスプレイ２３からＲチャネルの音声信号を出力するように各リア・ディスプレイ用音声処理部１６，１７を制御することにより、２つのスピーカ２２ａ，２３ａからステレオ音声を出力することができるようにする。【選択図】　　　　図１
2004017914.tif 000002
【特許請求の範囲】
【請求項１】
車両内に複数のスピーカを備え、任意のＡＶソースを独立して再生可能に成されたＡＶシステムにおいて、
上記複数のスピーカにおいて単一のソースを再生しているか否かを検出する検出手段と、
上記検出手段による検出結果に応じて、上記複数のスピーカに対して出力する音声信号を制御する制御手段とを備えたことを特徴とするＡＶシステム。
【請求項２】
上記制御手段は、上記検出手段により単一ソースの再生が検出されたときは上記複数のスピーカから上記単一ソースの音声信号を複数の系統に分けて出力し、上記検出手段により複数ソースの再生が検出されたときは上記複数のスピーカから上記複数ソースの音声信号をそれぞれ単一系統の音声として出力するように制御することを特徴とする請求項１に記載のＡＶシステム。
【請求項３】
上記検出手段により上記単一ソースの再生が検出されたときに、上記複数の系統の音声信号に対してそれぞれフィルタ処理を施すフィルタ手段を備えたことを特徴とする請求項２に記載のＡＶシステム。
【請求項４】
上記検出手段により上記単一ソースの再生が検出されたときに、上記複数の系統の音声信号に対してそれぞれ遅延処理を施す遅延手段を備えたことを特徴とする請求項２に記載のＡＶシステム。
【請求項５】
上記複数のスピーカは、上記車両内に備えられる複数のディスプレイに１つずつ搭載されることを特徴とする請求項１〜４の何れか１項に記載のＡＶシステム。
【発明の詳細な説明】
【０００１】
【発明の属する技術分野】
本発明はＡＶ（Ａｕｄｉｏ　Ｖｉｓｕａｌ）システムに関し、特に、車両内に複数のスピーカを備えたＡＶシステムに用いて好適なものである。
【０００２】
【従来の技術】
従来、車両の後部座席（前部座席の裏側等）にディスプレイを設置し、テレビやＤＶＤ等のＡＶソースを再生して後部座席の搭乗者が楽しめるようにしたＡＶシステム（以下、これを本明細書では「リア・エンタテイメント・システム」と呼ぶ）が提供されている。このリア・エンタテイメント・システムにおいて、ディスプレイには小型のスピーカが１つ搭載されており、再生中のＡＶソースの音声がこの搭載スピーカから出力されるようになっている。
【０００３】
このリア・エンタテイメント・システムは、後部座席に設置される上述のディスプレイと、コンソール等に設置されるヘッドユニットとを備えて構成されている。ヘッドユニットは、後部座席のディスプレイの他に、前部座席のフロントスピーカや各種ＡＶ機器等を集中制御する。後部座席のディスプレイはヘッドユニットに接続されており、ユーザがこのヘッドユニットの操作子あるいはリモコンを操作することによって、所望のＡＶソースを選択して再生することができるようになっている。後部座席に複数のディスプレイがある場合には、それぞれにおいて異なるＡＶソースを選択して再生することも可能である。
【０００４】
【発明が解決しようとする課題】
しかしながら、従来のリア・エンタテイメント・システムでは、１つのディスプレイはスピーカを１つのみ搭載し、モノラル音声の出力しかできないようになっていた。そのため、ステレオ録音されているＡＶソースの再生時においても、Ｌ＋Ｒのモノラル音声の出力しかできず、ステレオ音声を出力することができないという問題があった。
【０００５】
本発明は、このような問題を解決するために成されたものであり、車両内に少なくともスピーカを備えたリア・エンタテイメント・システムにおいてステレオ音声やサラウンド音声等の音場効果を実現できるようにすることを目的とする。
【０００６】
【課題を解決するための手段】
上記した課題を解決するために、本発明のＡＶシステムでは、単一のソースを再生しているか否かを検出し、その検出結果に応じて、車両内に備えられた複数のスピーカに出力する音声信号を制御する。例えば、単一ソースの再生が検出されたときは、当該単一ソースの音声信号を複数の系統（例えば、ＬチャネルとＲチャネル）に分けて複数のスピーカから出力し、複数ソースの再生が検出されたときは、当該複数ソースの音声信号をそれぞれ単一系統（例えば、Ｌ＋Ｒチャネル）の音声として複数のスピーカから出力するように制御する。
【０００７】
このように構成した本発明によれば、例えば後部座席の左右に２つのスピーカが備えられている場合において、異なるソースを再生しているときは、左右のスピーカから各ソースのモノラル音声がそれぞれ出力される。これに対し、単一ソースを再生しているときは、左のスピーカからＬチャネルの音声が出力されるとともに、右のスピーカからＲチャネルの音声が出力されることにより、ステレオ音声の再生が可能となる。
【０００８】
また、後部座席の左右および中央に３つのスピーカが備えられている場合において、単一のソースを再生しているときに、例えば左のスピーカからＬチャネル、右のスピーカからＲチャネル、中央のスピーカからＬ＋Ｒチャネルの音声を出力するように制御することにより、サラウンド効果のある音声を出力することが可能である。また、これら複数系統の音声信号に対してそれぞれフィルタ処理、遅延処理、あるいはこの両方を施すことにより、更に複雑なサラウンド効果を得ることも可能である。
【０００９】
【発明の実施の形態】
以下、本発明の一実施形態を図面に基づいて説明する。図１は、本実施形態によるＡＶシステムの要部構成例を示す図である。図１において、１はＡＭ／ＦＭ放送を受信して再生するラジオチューナ、２はテレビ放送を受信して再生するテレビチューナ、３はＣＤ（コンパクトディスク）を再生するＣＤプレーヤ、４はＤＶＤ（デジタルビデオディスク）を再生するＤＶＤプレーヤである。
【００１０】
２１は車両の前部座席付近に設けられる左右のフロントスピーカ、２２は後部座席左側（左側前部座席の裏側）に設けられるＬリア・ディスプレイ、２３は後部座席右側（右側前部座席の裏側）に設けられるＲリア・ディスプレイである。Ｌリア・ディスプレイ２２は、音声を出力するスピーカ２２ａと映像を表示するモニタ部２２ｂとを備えている。Ｒリア・ディスプレイ２３も同様に、音声を出力するスピーカ２３ａと映像を表示するモニタ部２３ｂとを備えている。
【００１１】
１０はヘッドユニットであり、ソース信号入力端子５を介してラジオチューナ１、テレビチューナ２、ＣＤプレーヤ３、ＤＶＤプレーヤ４の各種ＡＶ機器と接続されており、これらのＡＶ機器から音声ソース信号および映像ソース信号を入力する。なお、音声ソース信号がステレオ音声に対応している場合は、その音声ソース信号はＬチャネルの音声信号とＲチャネルの音声信号から成っている。
【００１２】
また、ヘッドユニット１０は、信号出力端子２５を介してフロントスピーカ２１、Ｌリア・ディスプレイ２２、Ｒリア・ディスプレイ２３と接続されており、ヘッドユニット１０において後述するように選択・処理された音声信号および映像信号を出力する。
【００１３】
ヘッドユニット１０の内部構成において、１１はフロントスピーカ用セレクタであり、音声ソースセレクタ１１ａを備えている。この音声ソースセレクタ１１ａは、ＡＭ，ＦＭ，ＴＶ，ＣＤ，ＤＶＤの各種音声ソース信号を入力し、後述するコントローラ１５の制御に従って何れかの音声ソース信号を選択して出力する。この音声ソースセレクタ１１ａにより選択された音声ソース信号は、フロントスピーカ２１より出力される。
【００１４】
１２はＬリア・ディスプレイ用セレクタであり、音声ソースセレクタ１２ａおよび映像ソースセレクタ１２ｂを備えている。音声ソースセレクタ１２ａは、ＡＭ，ＦＭ，ＴＶ，ＣＤ，ＤＶＤの各種音声ソース信号を入力し、後述するコントローラ１５の制御に従って何れかの音声ソース信号を選択して出力する。映像ソースセレクタ１２ｂは、ＴＶ，ＤＶＤの各種映像ソース信号を入力し、後述するコントローラ１５の制御に従って何れかの映像ソース信号を選択して出力する。ここで選択する音声ソース信号と映像ソース信号は同種類のものである。
【００１５】
１３はＲリア・ディスプレイ用セレクタであり、音声ソースセレクタ１３ａおよび映像ソースセレクタ１３ｂを備えている。音声ソースセレクタ１３ａは、ＡＭ，ＦＭ，ＴＶ，ＣＤ，ＤＶＤの各種音声ソース信号を入力し、後述するコントローラ１５の制御に従って何れかの音声ソース信号を選択して出力する。映像ソースセレクタ１３ｂは、ＴＶ，ＤＶＤの各種映像ソース信号を入力し、後述するコントローラ１５の制御に従って何れかの映像ソース信号を選択して出力する。ここで選択する音声ソース信号と映像ソース信号は同種類のものである。
【００１６】
上述のＬリア・ディスプレイ用の映像ソースセレクタ１２ｂにより選択された映像ソース信号は、Ｌリア・ディスプレイ２２に出力されてモニタ部２２ｂに表示される。また、Ｒリア・ディスプレイ用の映像ソースセレクタ１３ｂにより選択された映像ソース信号は、Ｒリア・ディスプレイ２３に出力されてモニタ部２３ｂに表示される。
【００１７】
１４は操作部であり、ヘッドユニット１０に関する各種操作を行うための操作キーを備えている。例えば、電源のオン／オフ操作を行うための電源キー、入力ソース信号の選択操作を行うためのソース選択キーなどを備えている。コントローラ１５は、ソース選択キーの操作により選択されたソース信号を選択するように、フロントスピーカ用セレクタ１１、Ｌリア・ディスプレイ用セレクタ１２、Ｒリア・ディスプレイ用セレクタ１３を制御する。このとき、各セレクタ１１〜１３においてそれぞれ独立して任意のソース信号を選択することが可能である。
【００１８】
１６はＬリア・ディスプレイ用音声処理部であり、コントローラ１５の制御に従って、Ｌリア・ディスプレイ用の音声ソースセレクタ１２ａにより選択された音声ソース信号に対して、各リア・ディスプレイ２２，２３における再生ソースの異同に応じた音場（モノラル音あるいはステレオ音等）となるように所定の信号処理を行う。
【００１９】
１７はＲリア・ディスプレイ用音声処理部であり、コントローラ１５の制御に従って、Ｒリア・ディスプレイ用の音声ソースセレクタ１３ａにより選択された音声ソース信号に対して、各リア・ディスプレイ２２，２３における再生ソースの異同に応じた音場（モノラル音あるいはステレオ音等）となるように所定の信号処理を行う。
【００２０】
すなわち、コントローラ１５は、Ｌリア・ディスプレイ２２とＲリア・ディスプレイ２３とで同一のＡＶソースを再生しているか否かを検出する。これは、操作部１４の操作によって各リア・ディスプレイ用セレクタ１３，１４においてどのＡＶソースが選択されているかを見ることによって判定することができる。そして、コントローラ１５はこの検出結果に応じて、各音声処理部１６，１７を制御する。
【００２１】
具体的には、両リア・ディスプレイ２２，２３において同一のＡＶソースを再生しているときは、コントローラ１５が各音声処理部１６，１７を制御して、Ｌリア・ディスプレイ２２のスピーカ２２ａからＬチャネルの音声信号を出力し、Ｒリア・ディスプレイ２３のスピーカ２３ａからＲチャネルの音声信号を出力するようにする。これにより、再生中のＡＶソースに関して左右のスピーカ２２ａ，２３ａからステレオ音声を出力することができる。
【００２２】
一方、両リア・ディスプレイ２２，２３において異なるＡＶソースを再生しているときは、コントローラ１５が各音声処理部１６，１７を制御して、Ｌリア・ディスプレイ２２のスピーカ２２ａとＲリア・ディスプレイ２３のスピーカ２３ａとの双方から、各ＡＶソースの音声信号をそれぞれＬ＋Ｒのモノラル音声として出力するようにする。つまり、左右のスピーカ２２ａ，２３ａから異なるＡＶソースのモノラル音声がそれぞれ独立して出力されることとなる。
【００２３】
図２は、上述の動作をまとめて示した図である。図２に示すように、本実施形態のＡＶシステムでは、左右のリア・ディスプレイ２２，２３で別ソースを再生しているときは、左右のスピーカ２２ａ，２３ａからそれぞれＬ＋Ｒのモノラル音声を出力する。また、左右のリア・ディスプレイ２２，２３で同一ソースを再生しているときは、左右のスピーカ２２ａ，２３ａからＬチャネル、Ｒチャネルの音声信号を出力することにより、ステレオ音声を得ることができる。
【００２４】
上記図１の実施形態では、車両の後部座席に左右２つのリア・ディスプレイ２２，２３を備えるＡＶシステムに本発明を適用する例について説明したが、３つ以上のリア・ディスプレイを備えるＡＶシステムにも本発明を適用することが可能である。図３は、左右および中央に３つのリア・ディスプレイを備えたＡＶシステムの構成例を概略的に示す図である。なお、この図３において、図１に示した構成と同一の機能を有する部分には同一の符号を付している。
【００２５】
図３において、２４はＣリア・ディスプレイであり、後部座席の中央に設けられる（例えば、前部座席のヘッドレストにアーム部材を取り付け、このアーム部材にＣリア・ディスプレイ２４を取り付ける）。このＣリア・ディスプレイ２４も他のリア・ディスプレイ２２，２３と同様に、音声を出力するスピーカ２４ａと映像を表示するモニタ部２４ｂとを備えている。
【００２６】
１０’はヘッドユニットであり、図１に示したヘッドユニット１０とほぼ同様の機能構成を有する。ただし、ＡＭ，ＦＭ，ＴＶ，ＣＤ，ＤＶＤの各種ソース信号の中から何れかを選択して出力するＣリア・ディスプレイ用セレクタと、このセレクタにより選択された音声ソース信号に対して所定の信号処理を行うＣリア・ディスプレイ用音声処理部とを更に備えている（共に図示せず）。
【００２７】
Ｃリア・ディスプレイ用セレクタの機能は、図１に示したＬリア・ディスプレイ用セレクタ１２およびＲリア・ディスプレイ用セレクタ１３と同様である。また、Ｃリア・ディスプレイ用音声処理部は、Ｃリア・ディスプレイ用セレクタにより選択された音声ソース信号のＬチャネルとＲチャネルとを合体させて、常にＬ＋Ｒの音声信号を出力する。
【００２８】
ヘッドユニット１０’内のコントローラは、Ｌリア・ディスプレイ２２、Ｒリア・ディスプレイ２３、Ｃリア・ディスプレイ２４において同一のＡＶソースを再生しているか否かを検出する。そして、その検出結果に応じて、各リア・ディスプレイ２２〜２４に出力する音声信号を制御する。
【００２９】
すなわち、全リア・ディスプレイ２２〜２４において同一のＡＶソースを再生していることを検出したときは、Ｌリア・ディスプレイ２２からＬチャネルの音声信号、Ｒリア・ディスプレイ２３からＲチャネルの音声信号、Ｃリア・ディスプレイ２４からＬ＋Ｒチャネルの音声信号を出力するように制御する。これにより、３つのリア・ディスプレイ２２〜２４からサラウンド音声を出力することができる。
【００３０】
一方、各リア・ディスプレイ２２〜２４の少なくとも１つにおいて異なるＡＶソースを再生しているときは、全リア・ディスプレイ２２〜２４からＬ＋Ｒチャネルの音声信号を出力するように制御する。これにより、３つのリア・ディスプレイ２２〜２４から異なるＡＶソースのモノラル音声がそれぞれ独立して出力されることとなる。
【００３１】
図４は、上述の動作をまとめて示した図である。図４に示すように、左右および中央のリア・ディスプレイ２２〜２４で別ソースを再生しているときは、これら３つのリア・ディスプレイ２２〜２４からそれぞれＬ＋Ｒのモノラル音声を出力する。また、左右および中央のリア・ディスプレイ２２〜２４で同一ソースを再生しているときは、左右のリア・ディスプレイ２２，２３からＬチャネル、Ｒチャネルの音声信号、中央のリア・ディスプレイ２４からＬ＋Ｒチャネルの音声信号を出力することにより、サラウンド効果のある音声を得ることができる。
【００３２】
さらに、左右および中央のリア・ディスプレイ２２〜２４で同一ソースを再生しているときに、各リア・ディスプレイ２２〜２４に出力されるＬチャネル、Ｒチャネル、Ｌ＋Ｒチャネルの各系統の音声信号に対してそれぞれフィルタ処理、遅延処理、あるいはこの両方を施すようにしても良い。図５は、そのフィルタ処理および遅延処理の一例を示す図である。
【００３３】
図５に示す例では、フィルタ処理を施すことによって、中央のＣリア・ディスプレイ２４には人の歌声等の周波数帯域のみを抽出して音声出力し、左右のリア・ディスプレイ２２，２３には楽器の周波数帯域を抽出して音声出力するようにしている。また、遅延処理を施すことによって、左右のリア・ディスプレイ２２，２３から出力される楽器の音声が、中央のＣリア・ディスプレイ２４から出力される歌声等の音声よりも遅れて聞こえるようにしている。このようにすることにより、より広がり感のある音場を得ることができる。
【００３４】
なお、上記実施形態では、後部座席のスピーカとして、リア・ディスプレイに搭載されたスピーカを用いる例について説明したが、本発明はディスプレイ搭載のスピーカを用いる例に限定されるものではない。例えば、後部座席の後方等に設置されるリアスピーカを用いて同様の制御を行うようにしても良い。
【００３５】
また、上記実施形態では、後部座席に設置される複数のリア・ディスプレイを用いてステレオ音声やサラウンド音声を得る例について説明したが、更にフロントスピーカやリアスピーカを加えてステレオ音声やサラウンド音声を得るようにしても良い。
【００３６】
例えば、図１のようにフロントスピーカ２１とリア・ディスプレイ２２，２３とを備えたＡＶシステムにおいて、フロントスピーカ２１とリア・ディスプレイ２２，２３の全てにおいて同一のソースを再生しているときには全体としてサラウンド音声を出力するようにし、フロントスピーカ２１とリア・ディスプレイ２２，２３とで異なるソースを再生しているときには、上記実施形態で説明したのと同様の音声出力を行うようにすることが可能である。
【００３７】
また、Ｌリア・ディスプレイ２２とＲリア・ディスプレイ２３とで異なるソースを再生している場合であっても、Ｌリア・ディスプレイ２２とＬフロントスピーカあるいはＬリアスピーカとでステレオ音声あるいはサラウンド音声を出力するとともに、Ｒリア・ディスプレイ２３とＲフロントスピーカあるいはＲリアスピーカとでステレオ音声あるいはサラウンド音声を出力するようにすることも可能である。
【００３８】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【００３９】
【発明の効果】
本発明は上述したように、車両内に複数のスピーカを備え、任意のＡＶソースを独立して再生可能に成されたＡＶシステムにおいて、これら複数のスピーカで単一のソースを再生しているか否かを検出し、その検出結果に応じて当該複数のスピーカに対して出力する音声信号を制御するようにしたので、例えば単一ソースの再生が検出されたときに、当該単一ソースの音声信号を複数の系統（例えば、ＬチャネルとＲチャネル）に分けて出力することにより、ステレオ音声を得ることができる。
【００４０】
また、上記単一ソースの音声信号を複数の系統（例えば、Ｌチャネル、Ｒチャネル、Ｌ＋Ｒチャネル）に分けて出力することにより、サラウンド音声を得ることもできる。さらに、これら各系統の音声信号に対してそれぞれフィルタ処理、遅延処理、あるいはこの両方を施すことにより、更に複雑なサラウンド効果を得ることもできる。
【図面の簡単な説明】
【図１】本実施形態によるＡＶシステムの要部構成例を示す図である。
【図２】図１に示すＡＶシステムの動作をまとめて示す図である。
【図３】本実施形態によるＡＶシステムの他の構成例を示す図である。
【図４】図３に示すＡＶシステムの動作をまとめて示す図である。
【図５】図３に示すヘッドユニットの内部に備えられるＬリア用、Ｒリア用、Ｃリア用の各音声処理部で行うフィルタ処理および遅延処理の一例を示す図である。
【符号の説明】
１　ラジオチューナ
２　テレビチューナ
３　ＣＤプレーヤ
４　ＤＶＤプレーヤ
５　ソース信号入力端子
１０，１０’　ヘッドユニット
１１　フロントスピーカ用セレクタ
１１ａ　音声ソースセレクタ
１２　Ｌリア・ディスプレイ用セレクタ
１２ａ　音声ソースセレクタ
１２ｂ　映像ソースセレクタ
１３　Ｒリア・ディスプレイ用セレクタ
１３ａ　音声ソースセレクタ
１３ｂ　映像ソースセレクタ
１４　操作部
１５　コントローラ
１６　Ｌリア・ディスプレイ用音声処理部
１７　Ｒリア・ディスプレイ用音声処理部
２１　フロントスピーカ
２２　Ｌリア・ディスプレイ
２２ａ　スピーカ
２２ｂ　モニタ部
２３　Ｒリア・ディスプレイ
２３ａ　スピーカ
２３ｂ　モニタ部
２４　Ｃリア・ディスプレイ
２４ａ　スピーカ
２４ｂ　モニタ部
２５　信号出力端子
【図１】
2004017914.tif 000003
【図２】
2004017914.tif 000004
【図３】
2004017914.tif 000005
【図４】
2004017914.tif 000006
【図５】
2004017914.tif 000007